(57)【要約】      （修正有）【課題】集合住宅（ＭＤＵ）における廊下又は通路に通してファイバーネットワークに関連付けられる光ファイバー束をＭＤＵ内の複数の住戸にサービス提供するように敷設する方法を提供する。【解決手段】住戸につながる廊下４８又は通路における壁２２又は他の支持面に沿って、その支持面に沿って束及び所望の敷設経路のうちの一方又は双方の上に接着材料又は接着成分を分配又は活性化させることと敷設経路の上の支持面に束を施すこととによって、束が接着される。ファイバー束を囲むカバー層が、バンドルファイバーが指定されるそれぞれの住戸に対応する束の長さに沿っていくつかの位置において切り開かれる。各位置において、指定されたファイバーが束からカット及び除去され、住戸の内部を始端とするドロップファイバーとの接続のために保持される。敷設工具もまた開示される。【選択図】図４Ａ
2018116281.tif 000002
【特許請求の範囲】
【請求項１】
複数の住宅、または集合住宅（ＭＤＵ）内の共用廊下にそれぞれ隣接する複数の住戸にファイバーネットワークサービスを提供する方法において、
前記廊下内の所望の敷設経に沿う位置の壁又は他の支持面に収納箱を取り付け、前記位置の各々が前記住宅または前記住戸に存在するか或いはその近傍に存在し、前記収納箱の各々の構造及び配置が光ファイバー束の巻回またはループを保持するようになされる前記収納箱を取り付ける工程、
複数の曲げ不感性ファイバーと保護外被またはファイバー包囲層とを含むように前記光ファイバー束を形成し、前記光ファイバーの各々が対応する住宅等に対して指定する光ファイバー束を形成する工程、
前記収納箱、廊下内の壁、廊下内の壁の角の内側、天井またはモールディングの縁の位置を含む前記廊下内の前記敷設経に亘って前記光ファイバー束を敷設し、前記光ファイバー束の保護外被及び前記敷設経の一方又は双方の上に接着材料を分配又は活性化させ、前記光ファイバー束の保護外被を前記壁及び前記角の内側または前記モールディングの縁に向けて直接押圧し、前記収納箱の各々の前記光ファイバー束の巻回またはループを保持する前記光ファイバー束を敷設する工程、
所定の住宅等に対して指定された光ファイバーを、前記所定の住宅等においてまたはその近傍において、前記収納箱に保持された前記光ファイバー束の巻回またはループから取り出し、それによって前記指定された光ファイバーの端部長さを得る光ファイバーを取り出す工程、及び
前記所定の住宅等においてまたはその近傍において、前記指定された光ファイバーの端部長さを前記収納箱に収納する工程を含む、方法。
【請求項２】
前記所定の住宅等の内部を始端とするドロップファイバーを、前記指定された光ファイバーの端部長さ部分と接続することを含む、請求項１に記載の方法。
【請求項３】
光ファイバー束を形成する工程が、比較的軟質のアクリルマトリックス材料内に前記曲げ不感性ファイバーを結合させ、結合した前記曲げ不感性ファイバーを前記外皮を形成する比較的硬質のアクリレート包囲層によって囲む過程を含む、請求項１に記載の方法。
【請求項４】
光ファイバー束を形成する工程が、前記曲げ不感性ファイバーを狭径の保護外被の内側にゆるく収納する過程を含む、請求項１に記載の方法。
【請求項５】
前記所定の住宅等においてまたはその近傍において、前記収納箱に収納された前記指定された光ファイバーの端部を終端する工程を更に含む、請求項１に記載の方法。
【請求項６】
前記収納箱にコネクタアダプターを設けて、前記所定の住宅等の内部を始端とするドロップファイバーの嵌合コネクタと接続する工程を更に含む、請求項１に記載の方法。
【請求項７】
前記所定の住宅等においてまたはその近傍において、前記収納箱に収納された前記指定された光ファイバーの端部を前記所定の住宅等の内部を始端とするドロップファイバーに接合する工程を更に含む、請求項２に記載の方法。
【請求項８】
前記光ファイバー束の保護外被に囲まれた前記曲げ不感性光ファイバーの各々を、２５０μｍの外径を有するように形成する工程を更に含む、請求項１に記載の方法。
【発明の詳細な説明】
【技術分野】
【０００１】
［関連出願の相互参照］
本出願は、米国特許法第１１９条（ｅ）項に従い、「Multidwelling Unit (MDU) Multifiber Solution and Tool」という名称の、２０１３年４月１５日に出願された米国仮特許出願第６１／８１１９９９号の優先権を主張する。この米国仮特許出願はその全体を引用することにより本明細書の一部をなす。
【０００２】
本発明は、集合住宅又は建物内の複数の住戸にネットワークアクセスを提供するように集合住宅又は建物内に光ファイバー束を敷設する方法、及び、敷設を行う工具に関する。
【背景技術】
【０００３】
マンション等の集合住宅（ＭＤＵ）又はオフィスビルの内部の複数の住戸に居住している加入者又はユーザーに光ファイバーネットワークサービスを提供するために、光ファイバーを収容する束又は管は通常、種々の住戸につながる廊下又は通路の壁に沿って敷設される。１つ又は複数のファイバーは、ＭＤＵ内の個々の居住ユニットすなわち住戸にサービス提供するように指定されている。そのようなファイバー束は、例えば、ＥＺ−Ｂｅｎｄ（登録商標）の名でOFS Fitel, LLCから市販により入手可能である。
【０００４】
各住戸へのエントランスにおいて又はエントランスの近くに、住戸用に指定されたファイバー（単数又は複数）が束から取り出され、近くに取り付けられている相互接続箱又はアダプター内にファイバーの端部長さが保持又は収納される。ドロップファイバーが住戸の内部から箱又はアダプターまで配策され、この箱又はアダプターにおいて束からの対応する指定されたファイバーに接続されることで、住戸内部のユーザーがドロップファイバーを通じてネットワークにアクセスすることが可能となる。
【０００５】
いわゆる「引き戻し」の解決策が、タイトバッファー型である（例えば、９００μｍのＯＤ）か又は裸であるルースな浮遊ファイバーを収容する中実壁管に関して知られている。これらの管は廊下壁に沿って敷設され、管壁内に或る特定の長さで離間した２つの小さな開口を形成することによって、指定されたファイバーがアクセスされる。指定されたファイバーは識別され、１つの開口部及びカット部から僅かに引き出される。次に、ファイバーを第２の開口部から完全に引き出すことで、ファイバーが第２の開口部から引き出される際にファイバーのカット端部が第１の開口部から管の内側に引き戻される。次に、ファイバーの端部長さを、住戸からのドロップファイバーとの接続のために、管の第２の開口部の近くに取り付けられた相互接続箱内に収納する。
【０００６】
代替的な解決策として、９００μｍ〜３．０ｍｍのＯＤを有するバッファー型光ファイバーそれぞれを、軽量ケーブルバインダー（例えば、アラミド糸又はポリエステル糸）の使用によって、又はファイバーをポリマー外被で覆うことによって、ケーブル（又は「コード」）に結束させることが挙げられる。バインダー又は外被が第１の場所において除去されて所望のファイバーを露出させ、ファイバーがカットされる。次に、敷設者が束に沿って第２の場所まで数フィート移動し、ファイバーをともに保持しているバインダー又は外被を切り開く。指定されたファイバーが第２の場所において束から引き出され、ファイバーのカット端部長さがドロップファイバーとの接続のために収納される。
【０００７】
「Ｏｎｅ  Ｐａｓｓ  Ｐａｔｈｗａｙｓ」の名で３Ｍ（商標）社が提供しているＭＤＵファイバー敷設解決策として、複数のファイバーを収容するＰＶＣダクト又はＰＶＣ管が挙げられ、このダクトは接着裏材を有する。ダクトを壁に沿って敷設するために、ダクトがリールから繰り出されて壁に施される際、ダクトの接着裏材から保護片を剥離することによって接着裏材を露出させる。
【０００８】
ＭＤＵにおける廊下に沿って光ファイバーの束又は管を敷設する既知の方法は通常、敷設される束が視界から隠れたままにするためにそれらの束の上に高価な大型成形品を配置することを必要とする。さもなければ、束は見苦しい外観を呈する可能性がある。別の問題は、ほとんどの廊下壁はその全長にわたって平坦又は平滑ではないことに起因し、例えば、建物の土台及び建物の他の構造上又は装飾上の物体により、様々な場所において壁が突出している場合が多く、そのため、ファイバー束をその敷設スパンにわたって鋭利なコーナー又は屈曲に適応させる必要がある。束が曲げ不感性ファイバーを収容している場合であっても、束の外被すなわちカバーは、損傷を与えずにはそのような場所における壁に対して面一に位置することが不可能であろう。
【０００９】
低摩擦外被を有する、いわゆるブローンファイバー光ケーブルが、ＭｉｃｒｏＣｏｒｅ（登録商標）の下でAFL Telecommunicationsによって提供されている。この会社によれば、１２ファイバー形態のケーブルはＯＤがほんの１．６ｍｍにすぎないが、ケーブルの許容可能な最小限の曲げ半径は３２ｍｍである。
【００１０】
高密度の可撓性光ファイバーケーブルが、ＡｃｃｕＰａｃｋ（登録商標）の下でOFS Fitel , LLCから入手可能である。米国特許第７，７２０，３３８号（２０１０年５月１８日）を参照のこと。この米国特許は引用することにより本明細書の一部をなす。最大１２本の色分けされた２５０ミクロンの曲げ不感性光ファイバーが、ほんの約１．４ｍｍのＯＤ及び５ｍｍほどの小さな許容可能曲げ半径を有する丸型二層バッファー収容部内に収容される。販売されているように、ＡｃｃｕＰａｃｋケーブルはまた、約４．８ｍｍのＯＤを有する丸型外被と、外被と収容されたファイバーとの間に糸強化層とを有する。
【００１１】
平行なファイバーの平坦なリボンの形態の光ファイバーケーブルと周囲のシースとを切り開くことが可能な工具も知られている。例えば、特許文献１を参照のこと。しかしながら、この工具は、シースに入れられたファイバーへのアクセスを得るために、平坦なリボンケーブルをミッドスパンにおいて切り開くようには構成されていない。3M社の述べた「Ｏｎｅ  Ｐａｓｓ  Ｐａｔｈｗａｙｓ」システムは、軸方向スロットを有する細長い矩形のプレートの形態のいわゆる「窓カット」テンプレート（3M社 Ｐｒｏｄ.  ＃  ＷＣ−ＴＥＭＰ−２０）と、じゃがいも「皮むき器」に似た関連のカッティング工具（＃  ＷＣ−ＴＯＯＬ−５０）とを有する。3M社の手順によれば、ＰＶＣダクトが敷設された後、ダクトカバーがテンプレート内のスロットを通って突出するまでテンプレートをダクトにわたって長さ方向に付勢することによって、所望のファイバーにアクセスするようにミッドスパンにおいてＰＶＣダクトに進入することができる。次に、カッティング工具を用いて、突出するカバー材を剥離し、アクセスのためにファイバーを露出させる。Ｍｉｌｌｅｒ（登録商標）（＃  ＭＳＡＴ  ５）及びＵｒａｓｅａｌ（登録商標）（＃  ＡＣＦＯ  ６２７８）による他の工具は、工具販売業者に従って、ガイドチャネルにおける束を位置合わせし、次に、束をチャネル内のブレードを越えて引っ張って束をカットして開いてファイバーを露出させることによって、この敷設されていないファイバー束を切り開くように作用する。
【００１２】
米国特許出願公開第２０１２／００２０６３５号（２０１２年１月２６日）、米国特許出願公開第２０１２／０１３８２１４号（２０１２年６月７日）及び米国特許出願公開第２０１２／００６６９８７号は全て、引用することにより本明細書の一部をなし、単一のファイバーの回りに及び隣接する支持面上に接着成分又は接着物質を塗布することによって住戸の内部に単一のファイバーを敷設するための方法及び工具を開示している。しかしながら、これらの米国特許出願公開は、ファイバー束が、ファイバーを、指定された住戸からのドロップファイバーとの接続のために取り出して保持することができるようにミッドスパンで切り開かれる、ＭＤＵにおける廊下に沿ってのファイバー束の敷設には関していない。
【発明の概要】
【発明が解決しようとする課題】
【００１３】
上記を鑑み、ＭＤＵの廊下又は通路における壁又は他の支持面に沿って光ファイバー束を敷設する時間及びコストを減らす工具を含む方法又は手順と、ファイバーがカットされ、ファイバーの端部長さをファイバーが指定される住戸の近くに保持することができるように束のファイバーミッドスパンへのアクセスとが必要とされている。敷設が完了すると、既存のファイバー束の敷設よりも満足のゆく視覚的な外観を得ることができる、そのような手順の必要性もある。
【課題を解決するための手段】
【００１４】
本発明によれば、集合住宅（ＭＤＵ）における廊下又は通路に通してファイバーネットワークに関連付けられる光ファイバー束をＭＤＵ内の複数の住戸にサービス提供するように敷設する方法が、住戸につながる共用廊下又は共用通路における壁又は他の支持面に沿って、支持面に沿って束及び所望の敷設経路のうちの一方又は双方の上に接着材料又は接着成分を分配するか又は一方又は双方の上の接着材料又は接着成分を活性化させることと敷設経路の上の支持面に束を施すこととによって、束を接着させることを含む。ファイバー束を囲むカバー層が、バンドルファイバーが指定される住戸に対応するいくつかの位置において束の長さに沿って切り開かれる。各位置において、対応する住戸の指定されたファイバーが束からカット及び取り出され、住戸の内部を始端とする対応するドロップファイバーとの接続のために保持される。
【先行技術文献】
【特許文献】
【００１５】
【特許文献１】米国特許第６，９０９，８３２号（２００５年６月２１日）
【００１６】
本発明をより良く理解するために、添付の図面及び添付の特許請求の範囲と併せて以下の記載の参照を行う。
【図面の簡単な説明】
【００１７】
【図１】本発明に従った光ファイバー束の断面プロファイルを示す図である。
【図２】本発明に従った、集合住宅（ＭＤＵ）における廊下壁と天井とによって形成されたコーナーに沿った、図１のファイバー束の敷設を示す図である。
【図３】本発明に従った、直角コーナーを有するクラウンモールディングの縁に沿った、図１のファイバー束の敷設を示す図である。
【図４Ａ】ＭＤＵの階上の複数の住戸にサービス提供するための、廊下に沿ったファイバー束の敷設の配線図である。
【図４Ｂ】ＭＤＵの階上の複数の住戸にサービス提供するための、廊下に沿ったファイバー束の敷設の配線図を示す図である。
【図５】本発明の方法の第１の実施形態に従った、ＭＤＵ内のサービス供給される住戸近くの壁上に保持されたファイバー束の緩いコイルを示す図である。
【図６】図１におけるファイバー束のカバー層が開けられ、コイルが壁上に取り付けられた相互接続箱又はエンクロージャー内に保持又は収容された後の、図５における緩いコイルを示す図である。
【図７】図６における収納された緩いコイルから、指定されたファイバーの端部長さのカット及び除去を示す図である。
【図８】光コネクタに接続された、図７における指定されたファイバーの端部長さを示す図である。
【図９】相互接続箱上に取り付けられたアダプターに接続された、図８における光コネクタを示す図である。
【図１０】箱カバーセットが適所にある、図９における相互接続箱を示す図である。
【図１１（ａ）】本発明のファイバー束敷設方法の第２の実施形態を示す図である。
【図１１（ｂ）】本発明のファイバー束敷設方法の第２の実施形態を示す図である。
【図１１（ｃ）】本発明のファイバー束敷設方法の第２の実施形態を示す図である。
【図１１（ｄ）】本発明のファイバー束敷設方法の第２の実施形態を示す図である。
【図１１（ｅ）】本発明のファイバー束敷設方法の第２の実施形態を示す図である。
【図１１（ｆ）】本発明のファイバー束敷設方法の第２の実施形態を示す図である。
【図１２】本発明に従った、図１におけるファイバー束の包囲層を切り開く工具の側面図である。
【図１３】本発明に従った、図１におけるファイバー束の包囲層を切り開く工具の正面図である。
【図１４】本発明に従った、図１におけるファイバー束の包囲層を切り開く別の工具を示す図である。
【図１５】本発明に従った、図１におけるファイバー束の包囲層を切り開く別の工具を示す図である。
【図１６】本発明に従った、図１におけるファイバー束の包囲層を切り開く別の工具を示す図である。
【図１７】本発明に従った、図１におけるファイバー束上の包囲層を切り開く別の工具を示す図である。
【発明を実施するための形態】
【００１８】
本発明は、集合住宅（ＭＤＵ）又は建物内の複数の住戸に居住しているユーザーに外部の光ファイバーネットワークへのアクセスを提供することができるように集合住宅（ＭＤＵ）又は建物内に１つ又は複数の光ファイバー束を敷設する方法に関する。敷設方法を行う本発明の工具もまた記載される。
【００１９】
図１は、前述したＡｃｃｕＰａｃｋケーブルの一部であるファイバー束１０の断面図を示す。束１０は例えば、２５０μｍのＯＤ（outer diameter：外径）をそれぞれ有する１２本の曲げ不感性光ファイバー１２を含む。ファイバーは、約１．４ｍｍのＯＤを有する比較的硬質のアクリレート包囲層１６によって囲まれた軟質のアクリレートマトリックス１４内に被包されて埋め込まれている。
【００２０】
前述した米国特許第７，７２０，３３８号に開示されているように、光ファイバー１２の二層アクリレート包囲、すなわち、軟質の内部マトリックス１４及びより硬質の包囲層１６は、いかなる曲げ力又は破壊力からもファイバー１２を隔離し、曲げ力又は破壊力は、隔離されなければファイバーを傷めるか又はファイバーに害を及ぼす可能性がある。上述したように、ファイバー束１０は、ファイバー１２の信号伝達特性を損ねることなく、５ｍｍほどの小さな曲げ半径を呈することができる。
【００２１】
ファイバー束１０の内部マトリックス１４及び包囲層１６は、ＵＶ硬化可能なアクリレートが好ましいが、他のポリマーに置き換えることができる。ファイバー１２は、互いに容易に識別することができるように色分けすることができ、以下で説明されるように、ファイバーが指定される住戸の近くで収納及び終端のために束１０から取り出すことができる。
【００２２】
図２は、本発明による、集合住宅（ＭＤＵ）の廊下における壁２２と天井２４とによって形成された内部コーナー２０に沿って施される、図１における或る長さのファイバー束１０を示す。束１０は、束の外面上に接着物質又は接着成分を塗布するか又は活性化させることによって、また、束をコーナー２０に圧入するか、及び／又は、バンドルファイバー１２が指定される住戸における又はその近くの場所を含む範囲にわたる壁２２又は他の支持面に押し付けることによって敷設することができる。
【００２３】
図２において、束１０は、前述した米国特許出願公開第２０１２／００２０６３５号の図１に関して開示された工具と同様とすることができる工具３０の使用によって敷設される。例えば、工具３０は、接着コーキングを分配する機械式ガン又は電動式ガンの形態とすることができる。１つの実施形態において、工具３０は、廊下壁２２に沿っての束１０の所望の経路にわたるビードの形態でアプリケーター先端３４により施されるコーキング又は接着物質を収容する交換可能なカートリッジ３２とともに動作するように構成及び配置され、所望の経路は、束の最小の曲げ半径を維持するために経路の急峻なコーナーに設けられている曲げ調整部（manager）４４、４６（図３を参照のこと）を含む。接着剤ビードを所望の経路にわたって例えば１メートル〜２メートルごとの連続長さで工具３０によって塗布することができ、そのため、ビードが硬化しないうちに、ファイバー束１０を敷設者の指又は木製スティックで手動によりビードに圧入させることができる。
【００２４】
代替的には、束１０の外面は、乾いた接着成分で予め被覆されてもよく、カートリッジ３２は、束１０が支持面に対してガイドされる際に接着成分を活性化させる作用物質を収容してもよい。束１０の表面上に塗布されるか又はその表面上で活性化する接着剤はいずれも、可能な限り迅速に乾くか又は粘性がなくなり、束１０を支持面上にしっかりと結合させるようなものであることが好ましい。前述した米国特許出願公開第２０１２／００６６９８７号を参照のこと。この米国特許出願公開は引用することにより本明細書の一部をなす。
【００２５】
図３は、本発明に従った、コーナー曲げ調整部４４、４６の使用を含むクラウンモールディング４２の底縁４０の下の廊下壁３８に沿って設けられた或る長さのファイバー束１０を示す。曲げ調整部４４、４６は、前に参照した米国特許出願公開第２０１２／０１３８２１４号の図１０及び図１１と併せて開示されている外側コーナー曲げ調整部及び内側コーナー曲げ調整部と同じ又は同様とすることができる。
【００２６】
曲げ調整部４４、４６は、ＭＤＵの廊下にしばしば存在する直角又は急峻な壁コーナーの上にファイバー束１０を敷設する際に、束１０がそれらのコーナーにおける特定の最小の曲率半径下で応力を受けないことを確実にするように用いられるものとする。曲げ調整部４４、４６は例えば、工具３０を用いて接着剤ビードを曲げ調整部上に塗布するとともに束１０をそれらの上に配策する前に、壁コーナー上に容易かつ迅速に固定することができるように自己接着裏材を有することができる。曲げ調整部４４、４６はまた、壁面上に或る長さのファイバー束１０を接着する敷設手順を容易にするために、所望の経路上で曲げ調整部間の適所に或る長さのファイバー束を保持するのに用いることができる。
【００２７】
図４Ａ及び図４Ｂはともに、本発明に従った、階上に位置する複数の個々のユーザーの住戸Ｕ１〜Ｕ４にサービス供給する、ＭＤＵの所与の階上の廊下４８に沿ってのファイバー束１０の敷設を示す。例えば１００フィート長〜２００フィート長の供給されるファイバー束１０が、供給リール又はスプール３６（図４Ｂを参照のこと）に巻回されている。収納箱３７が、ＭＤＵのより低い高さ位置でファイバーネットワーク引込箱５１から出ているライザーケーブル（riser cable：立ち上がりケーブル）４９付近で、図４Ａに見られるように廊下４８の左端部に取り付けられている。スプール３６から自由に繰り出されるファイバー束１０の端部は非終端のままであり、巻回された束の対向端部すなわち内部端部は、多心コネクタ（例えば、ＭＰＯコネクタ５３型）又は複数の単心コネクタにおいて終端することができる。代替的には、巻回された束の対向端部は、ライザーケーブル４９に関連付けられるネットワークファイバーにバンドルファイバーが融着又は機械的に接続することができるように非終端のままとすることができる。図４Ｂを参照のこと。
【００２８】
コネクタアダプター５５が収納箱３７に取り付けられる。図４Ｂに表されているように、バンドルが箱３７の内部に配置されると、アダプター５５は、一端部が箱３７の外側のライザーケーブル４９の嵌合コネクタと接続するように構成されているとともに、アダプターの他端部がファイバー束１０の内端部側の多心コネクタ５３と接続するように構成されている。
【００２９】
具体的には、本発明に従った１つの敷設手順において、供給スプール３６がアプリケーター工具３０に最初に取り付けられ、束１０は、図４Ａ及び図４Ｂにおいて示されているように、壁２２に対してアプリケーター先端３４によって施される際に繰り出され、収納箱３７から廊下４８の先の最も遠い住戸Ｕ４において又はその近くにおいて始まり、続いて住戸Ｕ３、Ｕ２及びＵ１を通り、収納箱３７で終端する。アプリケーター先端３４は好ましくは、接着剤が、束１０上に予め被覆されているか又はアプリケーター工具３０によって供給されるかにかかわらず、ファイバー束１０の周囲に流れて束を壁２２に接着させると同時に先端３４により束１０の歪解放が行われるように形成される。
【００３０】
工具カートリッジ３２は、例えば、市販により入手可能なシリコーン又はアクリル系コーキングを収容するとともに分配することができる。さらに、壁面の下に或る長さの束１０を引き込むことが望まれる場合、工具３０は、原位置において表面内に幅狭のチャネルを形成するカッティングブレードを遠位端に有することができる。これにより、束１０の上に接着剤を堆積させるか又は束１０の上の接着剤を活性化させる前に、工具３０により、形成されたチャネル内に束１０を置くことが可能になる。
【００３１】
束１０が住戸Ｕ４と収納箱３７との間で壁２２に沿って敷設された後、供給スプール３６に巻回されたままの任意の長さの束１０は、スプールとともに収納箱３７の内側に配置され、多心コネクタ５３において終端している束１０の内側端部は、箱３７の内側でアダプター５５に接続される。所望であれば、スプール３６を、任意の残りの巻回されていない長さの束１０から取り外されるように構成することができ、そのため、スプール自体を廃棄することができる。
【００３２】
本発明に従った代替的な敷設手順において、収納箱３７と箱から最も遠い住戸Ｕ４との間のファイバー束１０のスパンの所望の経路は、壁２２にマーク又は別様のものを施すことによって識別される。経路の長さが測定され、対応する長さのファイバー束１０が供給スプール３６から繰り出される。前述したように、工具３０は、壁上に、また、経路に沿って設けられた任意の曲げ調整部４４、４６にわたってマークを施された、経路の連続長さ（例えば、それぞれ１メートル〜２メートル）にわたって、接着剤成分のビードを堆積するように構成及び使用され得る。ビードが経路にわたって堆積された後、敷設者は次に、繰り出された対応する長さの束１０を各接着剤ビードに圧入する。上述した第１の手順におけるように、任意の残りの又は繰り出された長さの束１０は、スプール３６の有無を問わず、収納箱３７の内側に配置され、束の終端端部は、箱３７の内側のアダプター５５に接続される。
【００３３】
ファイバー束１０は、指定されたファイバー１２によってサービス供給される住戸Ｕ１〜住戸Ｕ４のそれぞれに対応する束に沿ったミッドスパンの位置において進入されるか又は開口する。各位置において、包囲層又はカバー層１６は、所定の長さ（例えば、３フィート〜４フィート）を超えてカット又は剥離され、比較的軟質のアクリルマトリックス１４は、バンドルファイバー１２を露出させるように手によって容易に除去される。束１０は、敷設中の壁に接着される前又は接着された後でミッドスパンにおいて進入するか又は開口することができる。各開口において、対応する住戸用に指定されたファイバー（単数又は複数）１２がカットされ、ファイバーの端部長さを束１０から取り出し、その端部長さは、住戸の内部から対応するドロップファイバーとの接続のために住戸において又は住戸の近くに保持又は収納される。
【００３４】
図５〜図１０は、本発明の敷設方法の更なる詳細を示す。束１０が、サービス供給される各住戸を通って配策される際、束１０の或る特定の長さが手によって巻かれて緩いコイル５０を形成する。コイル５０は、例えば、コイル５０を壁５２（又は図４Ａ及び図４Ｂにおける壁２２）上に住戸の玄関ドア５４よりも上に貼り付けることによって住戸の入口点の近くに保持される。巻かれた束１０の包囲層１６及びマトリックス層１４は、上述したように切り開かれて取り外される。図１２及び図１３とともに以下で説明する工具１００等のカッティング機構を用いて包囲層１６を切り開くことができる。次に、緩いコイル５０を、図６に示されているように住戸の隣に収納するように、壁５２（又は図４Ａに示されているように壁２２）上に取り付けられた相互接続モジュール又は相互接続箱６０内に移す。箱６０には、以下で説明されるように、後で用いるために光ファイバーコネクタアダプター６２が備わっていてもよい。
【００３５】
図７に示されているように、加入者の住戸の内部を始端とするドロップファイバーと、住戸用に指定されたバンドルファイバー１２ａとを接続するために、ファイバー１２ａを（例えば色によって）識別させ、箱６０内に収納された緩いコイル５０のターンのうちの１つのターン上に露出させる。ファイバー１２ａはカットされ、ファイバーのカット端部を含む、ファイバー１２ａの端部長さが、図７の左側に示されているように、巻かれた束から引き出される。融着接続コネクタ又は機械的接続コネクタ７０が、図８に示されているように、ファイバー１２ａのカット端部と接続されるか、又は、カット端部は、住戸の内部を始端とするドロップファイバーに融着接続されるように適所に残されたままとすることができる。
【００３６】
図９に示されているように、コネクタ７０は、バンドルファイバー１２ａのカット端部に固定される場合、アダプター６２の一端部６２ａに挿入される。アダプター６２は、アダプターの対向する端部６２ｂを箱６０の側壁８０上に露出させてドロップファイバーの嵌合コネクタと接続させるように、箱６０内部の適所にスナップ留めされるか又は別様に設定される。カバー８０が、図１０に示されているように、緩いコイル５０、取り出されたバンドルファイバー１２ａ及びコネクタ構成部材６２、７０を箱の内側に安全に収納するよう、箱６０にフィットして被さるように構成されている。
【００３７】
図１１（ａ）〜図１１（ｆ）は、各ユーザー住戸において又は各ユーザー住戸の近くにおいて束１０の緩いコイルを保持又は収納する必要がない本発明の敷設方法の変形形態を示す。
【００３８】
図１１（ａ）において、ファイバー束１０を、束のファイバー１２によってサービス供給される各住戸を通って延びる経路にわたって、図２及び図３に関して説明したように、分配される接着物質又は糊物質を用いて壁９０の表面に接着する。図１１（ｂ）に示されているように、図１４〜図１７と併せて下記で説明される工具９２を用いて、包囲層１６を切り開くとともに束１０から剥離する。工具９２を、住戸の近くの敷設された束１０の上に配置し、壁９０側に付勢させながら束の長さＬに沿って摺動させる。次に、マトリックス層１４を容易に取り外してバンドルファイバー１２をアクセスのために露出させる。図１１（ｃ）を参照のこと。
【００３９】
図１１（ｄ）において、露出したファイバー１２から、住戸用に指定されたファイバー１２ａをカットして取り出す。図６〜図１０における箱６０と構造が同じ又は同様とすることができる相互接続モジュール又は相互接続箱９４が、壁９０上に取り付けられている。図１１（ｅ）において、ファイバー１２ａのカット端部を終端させ、箱９４内に収納し、箱を覆う。束の長さＬにわたって露出させる９２残りのファイバー１２は、例えば周りの面と色がマッチするテープ又はシーラントを用いてカバーされる。図１１（ｆ）を参照のこと。
【００４０】
図１２及び図１３は、壁又は他の面にまだ接着されていない或る長さのファイバー束１０の上にある、包囲層１６を切り開くか又は剥離する工具２００の側面図及び正面図である。例えば、露出したファイバー１２を巻いて図５及び図６における緩いコイル５０にすることを可能にするように、工具２００を用いて数フィートにわたって包囲層１６を切り開くことができる。
【００４１】
工具２００は、工具ハンドル２０２と、「Ｔ」字の頂部を形成する細長いカッティングヘッド２０４とを有する概ね「Ｔ」字状であり、図１２に示されているように概ね「Ｃ」字状の外形を有する。カッティングヘッド２０４は、カッティングヘッドの長さにわたって内部通路を形成しており、内部通路は、ヘッドの側面上のスロットに開口しており、スロットは、ファイバー束１０を敷設者の親指で側方からスロットに圧入させることができるように寸法決めされている。束の外側包囲層１６は、スロットに挿入されると、工具ヘッド２０４の内側に固定されているブレード２０６のエッジに対して付勢され、及び／又は、カッティングヘッド２０４内の内部通路の対向する端部開口のうちの一方又は双方の回りに形成された鋭利なエッジ２０８ａ、２０８ｂと接触する。
【００４２】
片方の手で束１０を保持し、次に、もう片方の手でハンドル２０２によって束１０の長さに沿って工具２００を引くことによって、包囲層１６を切り開くか又は剥離する。次に、層１６の下の、より軟質のアクリレートマトリックス１４を、手でファイバー１２から容易に取り外す。
【００４３】
図１４〜図１７は、束が図１１（ａ）〜図１１（ｃ）に示されている手順に従って壁面に接合された後でファイバー束１０の包囲層１６を切り開く別の工具９２を示す。
【００４４】
図１４に見られるように、工具９２は、細長いハンドル９３と、ハンドルの一端部が取り付けられる側壁９４ａを有する概ね矩形の工具ブロック９４とを備える。ハンドル９３は、敷設者がハンドルをしっかりと把持したまま維持することができると同時に工具ブロック９４の底面９４ｂを束１０の上に壁９０に沿って付勢させてファイバーをアクセスのために露出させるように輪郭付けられている。図１１（ｂ）を参照のこと。工具ブロック９４の側壁９４ａに対するハンドル９３の傾きは垂線からずらすことができ、それによって、敷設者は、敷設されたファイバー束の上に快適に工具９２を用いることができる。工具ブロック９４は図１５〜図１７に関して以下で説明する。
【００４５】
工具ブロック９４は、ブロックの底面９４ｂ内に形成された凹状のガイドスロット９６を有する。ガイドスロット９６は、ブロック９４の長さにわたって延び、ブロックの対向する端部壁９４ｃ及び９４ｄに開口している。スロット９６の深さは、敷設者が工具ブロック９４の底面９４ｂを束の上に付勢する際に、図１１（ｂ）における敷設される束１０を収容するのに十分である。ガイドスロット９６の開口における端壁９４ｃ、９４ｄのエッジは、使用時に工具ブロック９４が束の上を摺動する際に束１０に損傷を与えるのを回避するように平滑にされているか又は面取りされていることが好ましい。
【００４６】
図１５〜図１７に示されているように、工具ブロック９４は、端壁９４ｃの頂部からブロック９４の長さに沿った約半分の地点まで下方に傾き、この地点において、幅狭の矩形スロット９８がブロックの横断方向に形成されてガイドスロット９６に開口する。工具ブレード１００が、ボルト１０２又は均等な締結具によってブロック９４の傾斜部に固定される。ブレード１００は、幅狭のスロット９８を通ってブロック９４の底部内の凹状のガイドスロット９６の上側領域内に突出するエッジ１０４を有する。ブレードエッジ１０４は、工具ブロック９４が図１７における方向Ｓに束１０の上に摺動する際に、バンドルファイバー１２に切り込むこともバンドルファイバー１２に損傷を与えることもなく、包囲層又は他のカバー層の幅狭片を除去するように、水平に対して角度Ａを画定する。ブレードエッジ１０４は、束の特定の包囲カバーすなわち外側カバーの最適なカッティング作業を達成するために移動方向Ｓに対して垂直ではない角度を形成することもできる。
【００４７】
本発明の方法に従って、幅狭のファイバー束１０が、束上に被膜される接着コーキング及び／又は活性化可能な接着成分の使用によって、ＭＤＵにおける共用廊下又は共用通路における壁又は他のアクセス可能な表面に沿って敷設される。束が敷設される前又は敷設された後で、指定されたファイバーが束のミッドスパンから引き出されることを可能にする工具もまた本明細書中に開示される。さらに、敷設が完了すると、従来の束の廊下敷設に比べ、より満足のゆく視覚的外観を得ることができる。
【００４８】
特に、本発明の方法は以下の望ましい特徴点を有する。
１．  ファイバー束１０のサイズが、現用の束よりも著しく小さく、ＥＺ−Ｂｅｎｄ（登録商標）のような曲げ不感性ファイバーの使用により、束１０が３ｍｍほどの小さい半径を有するコーナー屈曲に適応することが可能になる。これにより、廊下敷設が完了するとより満足のゆく視覚的外観を得ることが可能になる。
２．  ファイバー束１０は、敷設が行われる際に剥がされて廃棄せねばならない保護片を有する接着裏材を有するダクトよりも実質的に少ない時間で廊下壁に沿って敷設することができる。
３．  工具９２及び１００により、バンドルファイバー１２がファイバーのうちの１つ又は複数によってサービス供給される各住戸のためにミッドスパンにおいて迅速かつ安全にアクセスされることが可能になることで、指定されたファイバーが、対応する住戸からのドロップファイバーとの接続のために、束から取り出されて保持されることが可能になる。
４．  材料及び敷設時間に費やされるコスト全体がより低い。
【００４９】
上記は本発明の好ましい実施形態を示しているが、本発明の主旨及び範囲から逸脱することなく、種々の変更、改変及び追加を行うことができることが当業者によって理解されるであろう。
【００５０】
例えば、束１０のファイバー１２は、内側のアクリレートマトリックス内で拘束されているのではなく、狭径の保護外被の内側にルースに収められてもよい。そのようにすることにより、上述した「引き戻し」手順を、指定されたファイバーをカットして、束から所望の長さのファイバーを同じ長さにわたって連続して外被を切り開く必要なく取り出すのに用いることが可能になる。
【００５１】
したがって、本発明は、添付の特許請求の範囲及び制限内にある変更、改変及び追加を全て含む。
【図１】
2018116281.tif 000003
【図２】
2018116281.tif 000004
【図３】
2018116281.tif 000005
【図４Ａ】
2018116281.tif 000006
【図４Ｂ】
2018116281.tif 000007
【図５】
2018116281.tif 000008
【図６】
2018116281.tif 000009
【図７】
2018116281.tif 000010
【図８】
2018116281.tif 000011
【図９】
2018116281.tif 000012
【図１０】
2018116281.tif 000013
【図１１（ａ）】
2018116281.tif 000014
【図１１（ｂ）】
2018116281.tif 000015
【図１１（ｃ）】
2018116281.tif 000016
【図１１（ｄ）】
2018116281.tif 000017
【図１１（ｅ）】
2018116281.tif 000018
【図１１（ｆ）】
2018116281.tif 000019
【図１２】
2018116281.tif 000020
【図１３】
2018116281.tif 000021
【図１４】
2018116281.tif 000022
【図１５】
2018116281.tif 000023
【図１６】
2018116281.tif 000024
【図１７】
2018116281.tif 000025